(57)【要約】【課題】簡単に圧力を調整することができる圧力式アイスパッドを提供する。【解決手段】パッドと、空気充填手段と、圧力調整手段とを含んでなり、該パッドは、袋状を呈し、内部に従来のゴム状の保冷体を設けてなり、該空気充填手段は、本体の一側面に平行に積み重なるように設けられ、内部に中空の空気袋を形成し、適宜な位置に圧力調整手段に接続する空気弁を設けてなり、該圧力調整手段は、空気チューブと、ポンプと、減圧部材とを含んでなり、該空気チューブは、一端が空気弁に接続し、空気弁の空気チューブに対向する他端がポンプ及び減圧部材に接続し、該ポンプは、空気を送り出す作用を有し、減圧部材は、空気チューブ内の圧力を外部に放出する作用を有する構造からなることを特徴とするアイスパッド。【選択図】図１
0003118825.tif 000002
【実用新案登録請求の範囲】
【請求項１】
パッドと、空気充填手段と、圧力調整手段とを含んでなり、
該パッドは、袋状を呈し、内部に従来のゴム状の保冷体を設けてなり、
該空気充填手段は、本体の一側面に平行に積み重なるように設けられ、内部に中空の空気袋を形成し、適宜な位置に圧力調整手段に接続する空気弁を設けてなり、
該圧力調整手段は、空気チューブと、ポンプと、減圧部材とを含んでなり、該空気チューブは、一端が空気弁に接続し、空気弁の空気チューブに対向する他端がポンプ及び減圧部材に接続し、該ポンプは、空気を送り出す作用を有し、減圧部材は、空気チューブ内の圧力を外部に放出する作用を有する構造からなることを特徴とするアイスパッド。
【請求項２】
前記パッドは、ネットを設けてなることを特徴とする請求項１に記載するアイスパッド。
【請求項３】
前記パッドは、湾曲し易くするために複数の接合部を設けることを特徴とする請求項１に記載するアイスパッド。
【請求項４】
前記パッドは、挿入孔と結束バンドを設け、該結束バンドにはマジックテープ（登録商標）が設けられ、結束バンドを挿入孔に挿入してマジックテープ（登録商標）を貼り付けてアイスパッドを人体に固定する構造からなることを特徴とする請求項１に記載するアイスパッド。
【請求項５】
前記パッドは、適宜な位置に開口を設けることを特徴とする請求項１に記載するアイスパッド。
【請求項６】
前記パッドは冷やしても、温めても使用できる構造からなることを特徴とする請求項１に記載するアイスパッド。
【考案の詳細な説明】
【技術分野】
【０００１】
この考案は、アイスパッドに関し、特に体の局部に密着させて冷やすアイスパッドに関する。
【背景技術】
【０００２】
アイスパッドは、日常生活の中で広く浸透している製品である。アイスパッドは冷やして治療する凍結療法（ｃｒｙｏｔｈｅｒａｐｙ）の内の一つの治療法として利用されている。アイスパッドは使用方法が簡単で、効果を容易に得ることができるなどの利点を具えているため、急いで手当てが必要なケガなどが発生した後の２４時間以内に、痛みを低減する、炎症を抑える、欠陥を収縮させる、水ぶくれを減らす、新陳代謝を下げるなどや、運動による傷害を治療する目的にも利用されている。また、野球選手が試合の終了後などに、遅発性の筋肉痛（ＤＯＭＳ）の発生を防いで手や肩の筋肉が早くに正常な状態に戻るようにアイスパッドを利用することもある。皮膚は低温に対して反応し、皮膚が正常に反応できる温度の範囲は約１０℃〜４０℃の間である。アイスパッドで冷やす場合、皮膚の温度が１５℃前後に下がると、皮膚が低温に正常に反応して交感神経が緊張し、生理的な調整機能が変化して、血管が収縮し、血流が低下する。
【０００３】
従来のアイスパッドは、ビニル製の袋の中に氷を入れ、氷の入った袋を直接肌に当てて冷やすものがほとんどである。この場合、氷を入れた袋が肌に接する面積が小さいため、あまり効果が得られない。現在、最も良い効果を得られるアイスパッドとしては、圧力式のアイスパッドがある。野球選手が試合後、アイスパッドを利用する場合、氷の入った袋を肌に置き、その上を弾性を具えた包帯で押さえる。即ち、圧力を利用して、氷の温度を肌の内部に浸透させる。
【０００４】
圧力式アイスパッドを利用する場合、皮膚が低温に慣れていない状態に圧力を大きくすることができず、皮膚が低温に慣れたところで圧力を高めると、最良の効果が得られる。
【０００５】
図１に開示するように、従来の圧力式アイスパッド１は、内部にゴム状の保冷体を設け、使用前に冷蔵庫の保冷室で冷凍しておく。該アイスパッド１は、パッド１０の適宜な場所にマジックテープ（登録商標）１１を設け、外側中央の適宜な位置に接続部１２０を設ける。該接続部１２０は両側に対称な弾性の圧力テープ１２を具え、該弾性の圧力テープ１２の内側端縁部にマジックテープ（登録商標）１２１を設ける。
【０００６】
前述のアイスパッド１を利用する場合、図２、３に開示するように、パッド１０を人の腕２に巻きつけ、マジックテープ（登録商標）１１でパッド１０を腕２に固定する。図４に開示するように、圧力テープ１２をそれぞれ左右に引き伸ばした後、腕２に圧力が発生するようにパッド１０に巻きつけて押さえてからマジックテープ（登録商標）１２１でパッド１０に貼り付ける。
【０００７】
上述のアイスパッド１は、弾性の圧力テープ１２の引いて固定する長さにより圧力を調整する。よって、圧力を調整する場合には、マジックテープ（登録商標）１２１をパッド１０から外し、圧力テープ１２を収縮させてから再度、圧力テープ１２を引き伸ばさなければならないため、前回マジックテープ（登録商標）１２１を貼り付けた位置と比較することができない。このため、前回よりも圧力を小さく、もしくは大きくしたいなど、圧力を微調整したい場合に、調整することができない。
【考案の開示】
【考案が解決しようとする課題】
【０００８】
この考案は、簡単に圧力を調整することができる圧力式アイスパッドを提供することを課題とする。
【課題を解決するための手段】
【０００９】
そこで、本考案の考案者は従来の技術にみられる欠点に鑑みて鋭意研究を重ねた結果、パッドと、空気充填手段と、圧力調整手段とを含んでなり、該パッドは、袋状を呈し、内部に従来のゴム状の保冷体を設けてなり、該空気充填手段は、本体の一側面に平行に積み重なるように設けられ、内部に中空の空気袋を形成し、適宜な位置に圧力調整手段に接続する空気弁を設けてなり、該圧力調整手段は、空気チューブと、ポンプと、減圧部材とを含んでなり、該空気チューブは、一端が空気弁に接続し、空気弁の空気チューブに対向する他端がポンプ及び減圧部材に接続し、該ポンプは、空気を送り出す作用を有し、減圧部材は、空気チューブ内の圧力を外部に放出する作用を有する構造からなるアイスパッドによって、課題を解決できる点に着眼し、かかる知見に基づいて本考案を完成させた。
【００１０】
以下、この考案について具体的に説明する。
請求項１に記載するパッドと、空気充填手段と、圧力調整手段とを含んでなり、該パッドは、袋状を呈し、内部に従来のゴム状の保冷体を設けてなり、該空気充填手段は、本体の一側面に平行に積み重なるように設けられ、内部に中空の空気袋を形成し、適宜な位置に圧力調整手段に接続する空気弁を設けてなり、該圧力調整手段は、空気チューブと、ポンプと、減圧部材とを含んでなり、該空気チューブは、一端が空気弁に接続し、空気弁の空気チューブに対向する他端がポンプ及び減圧部材に接続し、該ポンプは、空気を送り出す作用を有し、減圧部材は、空気チューブ内の圧力を外部に放出する作用を有する構造からなる。
【００１１】
請求項２に記載するアイスパッドは、請求項１におけるパッドが、ネットを設けてなる。
【００１２】
請求項３に記載するアイスパッドは、請求項１におけるパッドが、湾曲し易くするために複数の接合部を設ける。
【００１３】
請求項４に記載するアイスパッドは、請求項１におけるパッドが、挿入孔と結束バンドを設け、該結束バンドにはマジックテープ（登録商標）が設けられ、結束バンドを挿入孔に挿入してマジックテープ（登録商標）を貼り付けてアイスパッドを人体に固定する構造からなる。
【００１４】
請求項５に記載するアイスパッドは、請求項６におけるパッドが、適宜な位置に開口を設ける。
【００１５】
請求項６に記載するアイスパッドは、請求項１におけるパッドが冷やしても、温めても使用できる構造からなる。
【考案の効果】
【００１６】
この考案のアイスパッドは、必要に応じて圧力を調整でき、操作が簡単であるという効果を有する。
【考案を実施するための最良の形態】
【００１７】
この考案は、簡単に圧力を調整することができる圧力式アイスパッドであって、パッドと、空気充填手段と、圧力調整手段とを含んでなり、該パッドは、袋状を呈し、内部に従来のゴム状の保冷体を設けてなり、該空気充填手段は、本体の一側面に平行に積み重なるように設けられ、内部に中空の空気袋を形成し、適宜な位置に圧力調整手段に接続する空気弁を設けてなり、該圧力調整手段は、空気チューブと、ポンプと、減圧部材とを含んでなり、該空気チューブは、一端が空気弁に接続し、空気弁の空気チューブに対向する他端がポンプ及び減圧部材に接続し、該ポンプは、空気を送り出す作用を有し、減圧部材は、空気チューブ内の圧力を外部に放出する作用を有する構造からなり、必要に応じて圧力を調整でき、操作が簡単であるという目的を、実現した。
係る構成のアイスパッドの構造と特徴を詳述するために、具体的な例を挙げ、図面を参照にして以下に説明する。
【実施例】
【００１８】
図５、６に、この考案の圧力式アイスパッドを開示する。図面によれば、アイスパッド３は、パッド４と、空気充填手段５と、圧力調整手段６とを含んでなる。
【００１９】
該パッド４は、袋状を呈し、内部に従来のゴム状の保冷体を設けてなり、水、ナトリウム、酸基、メチルアルコール、セルロースと色素などを混合してもよい。
【００２０】
空気充填手段５は、パッド４の一側面に平行に積み重なるように設けられる。該空気充填手段５は内部に中空の空気袋を形成し、適宜な位置に空気弁５１を設けてなる。該空気弁５１は、圧力調整手段６に接続する。
【００２１】
該圧力調整手段６は、空気チューブ６１と、ポンプ６２と、減圧部材６３とを含んでなる。該空気チューブ６１は、一端が空気弁５１に接続し、空気弁５１の空気チューブ６１に対向する他端がポンプ６２及び減圧部材６３に接続する。該ポンプ６２は、押し圧すると、空気が送り出す作用を有する。減圧部材６３は、回転させる（もしくは押し圧する）と、空気チューブ６１内の空気もしくは圧力が外部に放出される。
【００２２】
また、アイスパッド３は、内部にネット３１を具えてなる。
【００２３】
上述の構造からなり、利用者が腕２を冷やす場合、図６に開示するように、腕２をネット３１とパッド４の間に設け、空気充填手段５で適宜な圧力に達し、腕２が低温を感じるようになるまで内部に空気を充填する。時間の経過に従って、利用者が冷たくないと感じた場合には、ポンプ６２を何度か押し圧して圧力を上昇させる。圧力が高すぎる場合には、減圧部材６３で圧力を下げる。
【００２４】
図７、８に、この考案の他の実施例を開示する。パッド７は、複数の接合部７０を設けてなる。パッド７は、保冷体７５と、空気充填体７６と、圧力調整手段６とを含んでなる。該パッド７は表面に、圧力調整手段６に接続した弁７１を設ける。また、パッド７は、一端縁部に結束バンド７３と、マジックテープ（登録商標）７３１と、挿入孔７２とを具えてなる。
【００２５】
使用する場合には、図９に開示するように、アイスパッド７を体（大腿部など）に巻きつけて、結束バンド７３を挿入孔７２に貫通させてマジックテープ（登録商標）７３１で貼り付けて固定する。圧力調整手段６を適宜に操作して空気を充填する。
【００２６】
前述のアイスパッド７は、折り曲げるために便利で、図８に開示するように、保冷体７５と空気充填体７６が接合部７０に合わせて交差するように設けられている。
【００２７】
また、図１０に開示するように、アイスパッド８は適宜な位置に開口８１を設けて、膝９の周囲などに巻き付け易くすることもできる。
【００２８】
さらに、この考案のアイスパッドは、冷やすだめだけでなく、温める場合にも使用することができる。
【００２９】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３０】
【図１】従来のアイスパッドを示した斜視図である。
【図２】図１に開示したアイスパッドの使用状態を示した説明図である。
【図３】従来のアイスパッドの他の実施例を示した説明図である。
【図４】従来のアイスパッドのその他の実施例を示した説明図である。
【図５】この考案のアイスパッドを示した説明図である。
【図６】図５に開示したアイスパッドを示した一部切り欠き図である。
【図７】この考案のアイスパッドの他の実施例を示した平面図である。
【図８】図７に開示したアイスパッドを示した部分断面図である。
【図９】図７に開示したアイスパッドの実施状態を示した説明図である。
【図１０】この考案のアイスパッドのその他の実施例を示した説明図である。
【符号の説明】
【００３１】
１        アイスパッド  
１０      パッド
１１      マジックテープ（登録商標）
１２      圧力テープ
１２０    接続部
１２１    マジックテープ（登録商標）
２        腕
３        アイスパッド
３１      ネット
４        パッド
５        空気充填手段
５１      空気弁
６        圧力調整手段
６１      空気チューブ
６２      ポンプ
６３      減圧部材
７        パッド
７０      接合部
７１      弁
７２      挿入孔
７３      結束バンド
７３１    マジックテープ（登録商標）
７５      保冷体
７６      空気充填体
８        アイスパッド
８１      開口
９        膝
【図１】
0003118825.tif 000003
【図２】
0003118825.tif 000004
【図３】
0003118825.tif 000005
【図４】
0003118825.tif 000006
【図５】
0003118825.tif 000007
【図６】
0003118825.tif 000008
【図７】
0003118825.tif 000009
【図８】
0003118825.tif 000010
【図９】
0003118825.tif 000011
【図１０】
0003118825.tif 000012